(57)【特許請求の範囲】
【請求項１】
被験者の健康状態を測定する健康状態測定装置であって、
前記被験者に直接又は間接に接触するように配置され、流体が封入された流体封入体と、
前記流体封入体の圧力変化又は変位を検出するセンサとを備え、
前記流体封入体の内表面上に板状部材を取り付けた健康状態測定装置。
【請求項２】
前記板状部材は、第１の板状部材と、当該第１の板状部材とは別体の第２の板状部材とを有し、当該第１の板状部材が流体封入体の上部に位置し、当該第２の板状部材が流体封入体の下部に位置することを特徴とする請求項１記載の健康状態測定装置。
【請求項３】
前記板状部材は、格子状であることを特徴とする請求項１又は２記載の健康状態測定装置。
【請求項４】
前記板状部材は、開口部を有することを特徴とする請求項１又は２記載の健康状態測定装置。
【請求項５】
被験者の健康状態を測定するために用いられる健康状態測定用流体封入体であって、
前記被験者に直接又は間接に接触するように配置され、流体が封入された流体封入部材と、
前記流体封入部材の内表面上に板状部材を取り付けられる健康状態測定用流体封入体。
【発明の詳細な説明】
【０００１】
【発明が属する技術分野】
本発明は、健康状態を測定する健康状態測定装置及び健康状態測定用流体封入体に関する。
【０００２】
【従来の技術】
従来から在宅健康管理システムが広く提案されている。この在宅健康管理システムでは、健康状態を測定する健康状態測定装置が家庭内に設置され、通信網を介して、その健康状態測定装置により測定された健康状態データが健康管理センタに送信される。そして、健康管理センタでは、受信した健康状態データを医者等の専門家が分析し、健康状態を監視する。
【０００３】
このような在宅健康管理システムにおいて用いられる健康状態測定装置の一例が、特開平１１−２６７１０６号公報に開示されている。この文献では、水や空気等の流体を封入した流体封入体の外表面又は内部に生体活動検出用センサを設けた健康状態測定装置が開示されている。この流体封入体は、袋状流体封入体である。
【０００４】
【発明が解決しようとする課題】
健康状態は、生体活動検出用センサの出力信号に基づき測定する必要があるが、従来技術の健康状態測定装置では、多くのノイズが加わるため、心拍、呼吸、いびき等の生体信号を正確に検出することは困難であった。
【０００５】
本発明は、かかる問題点を解決するためになされたものであり、正確に健康状態を測定することができる健康状態測定装置を提供することを目的とする。
【０００６】
【課題を解決するための手段】
本発明にかかる健康状態測定装置は、被験者の健康状態を測定する健康状態測定装置であって、前記被験者に直接又は間接に接触するように配置され、流体が封入された流体封入体と、前記流体封入体の圧力変化又は変位を検出するセンサとを備え、前記流体封入体の外表面上に板状部材を取り付けたものである。このような構成により、流体封入体に対する応力の分布が均一化されるため、センサによって圧力変化及び変位を正確に検出することができ、健康状態を正確に測定することができる。
【０００７】
また、本発明にかかる他の健康状態測定装置は、被験者の健康状態を測定する健康状態測定装置であって、前記被験者に直接又は間接に接触するように配置され、流体が封入された流体封入体と、前記流体封入体の圧力変化又は変位を検出するセンサとを備え、前記流体封入体の内表面上に板状部材を取り付けたものである。このような構成によっても、流体封入体に対する応力の分布が均一化されるため、センサによって圧力変化及び変位を正確に検出することができ、健康状態を正確に測定することができる。
【０００８】
さらに、本発明にかかる他の健康状態測定装置は、被験者の健康状態を測定する健康状態測定装置であって、前記被験者に直接又は間接に接触するように配置され、流体が封入された流体封入体と、前記流体封入体の圧力変化又は変位を検出するセンサとを備え、前記流体封入体の一部が板状部材を構成しているものである。このような構成によっても、流体封入体に対する応力の分布が均一化されるため、センサによって圧力変化及び変位を正確に検出することができ、健康状態を正確に測定することができる。
【０００９】
これらの健康状態測定装置における板状部材は、第１の板状部材と、当該第１の板状部材とは別体の第２の板状部材とを有し、当該第１の板状部材が流体封入体の上部に位置し、当該第２の板状部材が流体封入体の下部に位置するようにするとよい。
【００１０】
尚、前記板状部材は、格子状であってもよく、さらには、開口部を有するものであってもよい。
【００１１】
他方、本発明にかかる健康状態測定用流体封入体は、被験者の健康状態を測定するために用いられる健康状態測定用流体封入体であって、前記被験者に直接又は間接に接触するように配置され、流体が封入された流体封入部材と、前記流体封入部材の表面上に板状部材を取り付けられるか又は当該流体封入部材の一部が板状部材を構成するものである。このような構成により、流体封入体に対する応力の分布が均一化されるため、センサによって圧力変化及び変位を正確に検出することができ、健康状態を正確に測定することができる。
【００１２】
【発明の実施の形態】
まず、本発明にかかる健康状態測定装置が使用される健康状態測定システムについて簡単に説明する。図１は、当該健康状態測定システムの構成図である。この健康状態測定システムは、流体封入体１、エアチューブ２、圧力センサ３、監視制御装置４を備えている。
【００１３】
流体封入体１は、エアマットや流体袋とも呼ばれ、被験者の就寝具に取り付けられたり、被験者に直接取り付けられたりする。この流体封入体１には、水又は空気等の流体が封入されている。この流体封入体１は、パッド状であっても、複数個のブロックに分離されたシート状のものであってもよい。本発明にかかる流体封入体１には板状部材が取り付けられているが、その構成については、後に詳述する。
【００１４】
エアチューブ２は、流体封入体１の圧力変動を圧力センサ３に伝達するためのものである。このエアチューブ２は中空状に構成され、流体封入体１に封入された流体が自由に移動する。
【００１５】
圧力センサ３は、エアチューブ２を介して流体封入体１の圧力変動を検出し、電気信号として出力する。圧力センサ３の代わりに流体封入体１の外表面形状の変化を計測する変位検出器を用いることも可能である。尚、圧力センサ３は、エアチューブ２を介さずに、直接、流体封入体１に接続されるようにしてもよい。
【００１６】
監視制御装置４は、圧力センサ３から出力された電気信号に基づいて、被験者の生体情報を取得し、健康状態を分析するものである。この健康状態の分析結果に基づいて、その分析結果を表示したり、通信網を介して医療機関等に分析結果を送信したりすることができる。
【００１７】
続いて、図を用いて、流体封入体１の構成について詳述する。図２は、当該流体封入体１の構成を示す図である。図に示されるように流体封入体１の上部には板状部材１１、下部には板状部材１２が設けられている。この板状部材１１、１２は、流体封入体１の外表面に取り付けられている。例えば、両者は、接着剤により接着される。この例では、板状部材１１、１２は、流体封入体１の上面及び下面のほぼ全域に亘る程度の大きさを有する。そして、その厚さは、５ｍｍ以下であることが望ましい。また、板状部材１１、１２は、例えば、アクリル板、強化紙等によって構成される。但し、これらの板状部材１１、１２は、被験者からの圧力が加わった状態で、折れ曲がりが残らない程度の剛性を有すればよく、その素材は限定されない。
【００１８】
尚、流体封入体１の内部には、スポンジを取り付けてもよい。また、流体封入体１の複数箇所において上面と下面とを固定するようにしてもよい。
【００１９】
このような構成により、流体封入体１に対する応力が均一化されるため、センサ３によって圧力変化及び変位を正確に検出することができ、健康状態を正確に測定することができる。
【００２０】
図３に示す流体封入体１の例では、板状部材１１のみがその流体封入体１の上部の外表面に取り付けられている。即ち、流体封入体１の下部の外表面には板状部材１２は取り付けられていない。このような構成によっても、流体封入体１に対する応力の分布が均一化されるため、センサ３によって圧力変化及び変位を正確に検出することができ、健康状態を正確に測定することができる。また、流体封入体１の下部の外表面のみに板状部材１２を取り付けるようにしてもよい。
【００２１】
図４に示す流体封入体１の例では、流体封入体１の内表面に板状部材１１及び板状部材１２が取り付けられている。また、図５に示すように、流体封入体１の内表面に板状部材１１のみ取り付けられるようにしてもよい。また、流体封入体１の下部の内表面に板状部材１１を取り付けるようにしてもよい。このような構成によっても、流体封入体１に対する応力の分布が均一化されるため、センサ３によって圧力変化及び変位を正確に検出することができ、健康状態を正確に測定することができる。
【００２２】
図６に示す流体封入体１の例では、流体封入体１の一部が板状部材１１及び板状部材１２を構成している。例えば、流体封入体１が熱硬化性樹脂により構成されていれば、流体封入体１の板状部材１１や板状部材１２に相当する箇所を加熱することにより製造可能である。また、流体封入体１の板状部材１１や板状部材１２に相当する箇所に他の部分とは異なる素材を混合することにより板状に硬化させるようにしてもよい。紫外線硬化樹脂を使うことも可能である。図７に示す流体封入体１の例では、流体封入体の一部が板状部材１１を構成している。また、流体封入体１の上部のみならず、下部のみ板状部材１２を構成するようにしてもよい。
【００２３】
次に、板状部材１１及び板状部材１２の構造について説明する。図８に示す例では、板状部材１１は、格子状となっている。即ち、板状部材１１は、複数個の四角形状の開口部を有し、それらが全面に亘って均一に配置されている。
【００２４】
図９に示す例では、四角形状の比較的に大きな開口部が板状部材１１のほぼ中央部に設けられている。
【００２５】
図１０に示す例では、流体封入体１のほぼ中央部に四角形状の板状部材１１が設けられている。そして、その板状部材１１の面積は、流体封入体１の主面に対して２分の１以下の小さなものである。このような板状部材１１であっても流体封入体１に対する応力の分布が均一化されるため、センサ３によって圧力変化及び変位を正確に検出することができ、健康状態を正確に測定することができる。
【００２６】
尚、流体封入体１への板状部材１１、１２の取り付け位置は、上述の例に限定されるものではない。例えば、流体封入体１の上部において、外表面と内表面の双方に板状部材１１、１２を取り付けるようにしてもよい。この場合には、流体封入体１の上部を板状部材１１と板状部材１２により挟み込む構成となる。また、流体封入体１の上部では、外表面に板状部材１１を取り付け、下部では内表面に板状部材１２を取り付けることも可能であり、またその逆も可能である。そして、流体封入体１の上部では、流体封入体１の一部を板状部材１１とし、下部では外表面又は内表面に板状部材１２を取り付けることも可能であり、またその逆も可能である。即ち、流体封入体１の上部、下部において、板状部材１１、１２を任意の取り付け方法により取り付けることが可能である。
【００２７】
【発明の効果】
本発明により、正確に健康状態を測定することができる健康状態測定装置を提供することができる。
【図面の簡単な説明】
【図１】本発明にかかる健康状態測定装置を使用した健康状態測定システムの構成を示す図である。
【図２】本発明にかかる健康状態測定装置の上面図及び断面図である。
【図３】本発明にかかる健康状態測定装置の断面図である。
【図４】本発明にかかる健康状態測定装置の断面図である。
【図５】本発明にかかる健康状態測定装置の断面図である。
【図６】本発明にかかる健康状態測定装置の断面図である。
【図７】本発明にかかる健康状態測定装置の断面図である。
【図８】本発明にかかる健康状態測定装置の上面図である。
【図９】本発明にかかる健康状態測定装置の上面図である。
【図１０】本発明にかかる健康状態測定装置の上面図である。
【符号の説明】
１  流体封入体  ２  エアチューブ  ３  圧力センサ  ４  監視制御装置
１１  板状部材  １２  板状部材
【図１】
0003983515.tif 000002
【図２】
0003983515.tif 000003
【図３】
0003983515.tif 000004
【図４】
0003983515.tif 000005
【図５】
0003983515.tif 000006
【図６】
0003983515.tif 000007
【図７】
0003983515.tif 000008
【図８】
0003983515.tif 000009
【図９】
0003983515.tif 000010
【図１０】
0003983515.tif 000011